(57)【要約】記録済みマルチメディア・プレゼンテーション内の任意のユーザ選択箇所をブックマークするためのデジタル・ビデオ記録装置および方法。本方法には、デジタル記録されたマルチメディア・プレゼンテーション内の任意のユーザ選択箇所に対応するユーザ・アクセス可能マークを、デジタル・ビデオ記録装置の再生動作の中断なしに、アノテイトするステップが含まれる。更に、本方法には、アノテイトされたマークに基づいてユーザ選択箇所を特定するステップと、マルチメディア・プレゼンテーションの再生を上記選択箇所から選択的に再開するステップとが含まれる。更に、上記アノテイトするステップには、ユーザ選択箇所を固有に特定するインデックス値を特定するステップと、このインデックス値をデータ記憶装置に記憶するステップとが含まれてもよい。該インデックス値は、時間測定値、フレーム識別子、或いは、データ量測定値であってもよい。ユーザＩＤ、ブックマーク識別子、日付、および、時刻は、上記インデックス値と共に、データ記憶装置に記憶できる。
2005532749.tif 000002
【特許請求の範囲】
【請求項１】
デジタル・ビデオ記録再生装置に於いて、再生期間中にプレゼンテーション内の箇所をブックマークする方法であって、
再生を中断することなく、デジタル記録されたプレゼンテーション内のユーザが選択した箇所をアノテイトするステップと、
ユーザ入力に応答して、前記デジタル記録されたプレゼンテーションの再生を前記アノテイトされたユーザ選択箇所から開始するステップと、
を含む、前記方法。
【請求項２】
前記アノテイトするステップが、
前記ユーザ選択箇所を特定するインデックス値を特定するステップと、
データ記憶装置に前記インデックス値を記憶するステップと、
を含む、請求項１記載の方法。
【請求項３】
前記記憶するステップが、
ユーザＩＤ、ブックマーク識別子、日付、および、時刻を含むデータ群から少なくとも１つのデータを選択するステップと、
前記少なくとも１つのデータを前記インデックス値と共に前記データ記憶装置に記憶するステップと、
を含む、請求項２記載の方法。
【請求項４】
前記特定するステップが、時間測定値、フレーム識別子、および、データ量測定値から成る群から前記インデックス値を選択するステップを含む、請求項２記載の方法。
【請求項５】
デジタル・ビデオ記録装置に於いて、記憶されたマルチメディア・プレゼンテーション内の任意のユーザ選択箇所をブックマークするシステムであって、
デジタル記録されたマルチメディア・プレゼンテーション内のユーザ選択箇所に対応するユーザ・アクセス可能マークを、前記デジタル・ビデオ記録装置の再生動作期間の中断なしに、アノテイトするアノテイト手段と、
ユーザ入力に応答して、前記アノテイトされたマークに対応した前記ユーザ選択箇所を特定し、前記マルチメディア・プレゼンテーションの再生を前記ユーザ選択箇所から選択的に開始する手段と、
を含む、前記システム。
【請求項６】
マルチメディア再生装置に於いて、再生マルチメディア・プレゼンテーション内のユーザ選択箇所をブックマークする方法であって、
前記再生マルチメディア・プレゼンテーション内で選択された箇所を決めるユーザ・マークを、再生の中断なしに、アノテイトするステップと、
ユーザ入力に応答して、前記マルチメディア・プレゼンテーションの再生を前記決められた箇所から開始するステップと、
を含む、前記方法。
【請求項７】
前記アノテイトするステップが、
前記ユーザ選択箇所を個別に特定するインデックス値を特定するステップと、
前記インデックス値をデータ記憶装置に記憶するステップと、
を含む、請求項６記載の方法。
【請求項８】
前記記憶するステップが、ユーザＩＤ、ブックマーク識別子、日付、および、時刻を含むデータ群から少なくとも１つのデータを選択して前記データ記憶装置に記憶するステップを含む、請求項７記載の方法。
【請求項９】
前記特定するステップが、時間測定値、フレーム識別子、および、データ量測定値から成る群から前記インデックス値を選択するステップを含む、請求項７記載の方法。
【請求項１０】
前記アノテイトするステップが、前記マルチメディア・プレゼンテーションがＤＶＤから再生される場合は、前記ユーザ・マークをデータ記憶装置に保存するステップを含む、請求項６記載の方法。
【請求項１１】
マルチメディア装置に於いて、デジタル記憶されたマルチメディア・プレゼンテーション内のユーザ選択箇所をブックマークするシステムであって、
前記デジタル記憶されたマルチメディア・プレゼンテーション内の箇所に対応するユーザ・アクセス可能マークをアノテイトするアノテイト手段と、
ユーザ入力に応答して、前記アノテイトされたマークに対応した前記箇所を見つけ、前記マルチメディア・プレゼンテーションの再生を前記箇所から選択的に開始する手段と、
を含む、前記システム。
【請求項１２】
前記箇所に対応するデータをアノテイトすること、および、該データを検索することの何れか一方を開始するユーザ・インタフェースと、
前記箇所に対応するアノテイトしたデータを記憶し検索するためのメモリと、
前記ユーザ・インタフェースと前記メモリとに双方向通信可能に接続されており、前記データをアノテイトして前記メモリに記憶し、前記アノテイトしたデータを前記メモリから検索して前記ユーザ・インタフェースに供給するプロセッサと、
を含む、請求項１１記載のシステム。
【発明の詳細な説明】
【技術分野】
【０００１】
本発明は、デジタル・ビデオ・レコーディングの分野に関し、詳しくは、パーソナル・ビデオ・レコーダの動作機能に関する。
【背景技術】
【０００２】
デジタル・ビデオ・レコーダによって、ユーザは、放送されたマルチメディア・プレゼンテーション（マルチメディア番組）を放送後に視聴することができ、また、放送継続中に遅延して視聴することさえもできる。また、記憶媒体へのレコーディング（記録）開始直後に、レコーディングされたマルチメディア・プレゼンテーション部分を再生し始めることが可能である。更に、その再生はポーズ（一時停止）でき、その間も放送されたプレゼンテーション（番組）の残り部分のレコーディングは継続される。また、そのレコーディングされたプレゼンテーションの再生をポーズした箇所から再開できる。
【０００３】
しかし、複数のユーザがレコーディングされたプレゼンテーションの再生を視聴しており、そのうちの一人が再生をポーズした場合、その間、他のユーザはプレゼンテーションの再生を視聴することができない。これは、再生のポーズが長引くと非常に不便である。他のユーザは、ポーズを設定した人によるプレゼンテーション再生の再開を待たねばならず、仮に他のユーザがそれを待たずに再生ポーズを解除した場合、ポーズを設定した人は、そのプレゼンテーション内容の一部を見損なうことなく視聴を再開するのは困難である。
【０００４】
デジタル・ビデオ・レコーダの中には、プレゼンテーションの再生を最後に停止した箇所にブックマークを設定できるものがある。しかし、一般に、これらの装置では、プレゼンテーションの再生が再開されたときに、そのブックマークは消去されてしまう。従って、仮に、複数のユーザが、再生プレゼンテーションの視聴を中断し、そのうちの一人が、他のユーザを待たずに、その視聴を再開してそのプレゼンテーションを見終えると、他のユーザは、中断した箇所から続けて視聴を再開することができなくなる。また、現在のデジタル・ビデオ・レコーダでは、設定できるブックマークは１つだけである。従って、複数のユーザがそれぞれ再生プレゼンテーション内の異なる箇所で視聴を中断した場合、ポーズした箇所から再生を再開できるのはその内の一人だけである。従って、マルチメディア装置に於いて、電源を切ったあとも消去されない複数の不揮発性デジタル・ブックマークを設定できる装置が必要である。
【発明の開示】
【０００５】
（発明の概要）
本発明は、記録済みマルチメディア・プレゼンテーション内の任意のユーザ選択箇所をブックマークするためのデジタル・ビデオ記録装置および方法に関する。本方法には、デジタル記録されたマルチメディア・プレゼンテーション内のユーザ選択箇所に対応するユーザ・アクセス可能マークを、デジタル・ビデオ記録装置の再生動作の中断なしにアノテイトするステップが含まれる。更に、本方法には、アノテイトされたマークに基づいてユーザ選択箇所を特定するステップと、記録済みマルチメディア・プレゼンテーションの再生を上記選択箇所から選択的に再開するステップとが含まれる。
【０００６】
更に、上記アノテイトするステップには、ユーザ選択箇所を個別に特定するインデックス値を特定するステップと、このインデックス値をデータ記憶装置に記憶するステップとが含まれてもよい。該インデックス値は、時間測定値、フレーム識別子、或いは、データ量測定値であってよい。ユーザＩＤ、ブックマーク識別子、日付、および、時刻が、上記インデックス値と共にデータ記憶装置に記憶することができる。
【０００７】
マルチメディア・プレゼンテーション内の任意のユーザ選択箇所をブックマークするシステムには、アノテイト手段と、アノテイトされたマークに基づいてユーザ選択箇所を特定する手段とが含まれてもよい。更に、このシステムには、プロセッサと、このプロセッサに通信可能に接続されたユーザ・インタフェースと、同じく該プロセッサに通信可能に接続された記憶装置とが含まれてもよい。
【発明を実施するための最良の形態】
【０００８】
図１には、電源を切ったあとも消去されない不揮発性ブックマークの設定を容易にする記録再生装置である、マルチメディア装置１００のブロック図が示されている。この装置は、デジタル・ビデオ・レコーダ、パーソナル・ビデオ・レコーダ、デジタル・ビデオ・ディスク（ＤＶＤ）プレーヤ、コンパクト・ディスク（ＣＤ）プレーヤ、或いは、その他の任意のプレゼンテーション用マルチメディア処理装置である。ここで言う「マルチメディア」には、映像を表すデータ、音声を表すデータ、図柄を表すデータ、或いは、これらの任意の組み合わせが含まれる。放送マルチメディア・プレゼンテーションは、特定のマルチメディア・プレゼンテーション、例えば、マルチメディア供給源からＲＦ送信或いはケーブル送信によって１つ或いは複数の受信機に送信されるテレビジョン番組である。ここで言う「マルチメディア」は、ビデオ、オーディオ、静止画、グラフィカル・イメージ、或いは、それらの任意の組み合わせを表す信号の表現形態である。
【０００９】
マルチメディア装置１００にはユーザ・インタフェース１０２が含まれてもよい。このユーザ・インタフェース１０２には、ディスプレイ、リモコン１０３、キーパッド、各種ボタン、タッチ・スクリーン、音声認識装置、触覚認識装置等が含まれてもよい。マルチメディア装置１００には、更に、プロセッサ１０４が含まれてもよい。このプロセッサ１０４は、マルチメディア・プロセッサ、マイクロプロセッサ、デジタル信号プロセッサ、或いは、その他の任意の処理装置であってよい。更に、プロセッサ１０４は、異なる処理タスクを容易にする各種処理装置を組み合わせたものでもよく、例えば、マイクロプロセッサとビデオ・プロセッサとの組み合わせでもよい。マルチメディア装置１００には、更に、記憶装置１０６が含まれてもよい。この記憶装置１０６は、磁気ディスク媒体、光学ディスク媒体、電子記憶媒体、および／または、その他のデータ記憶装置であってもよい。例えば、記憶装置１０６は、ハード・ディスク・ドライブ、書き換え可能な光学ディスク、ランダム・アクセス・メモリ、或いは、これらの任意の組み合わせであってもよい。
【００１０】
図１に示すマルチメディア供給源１０８は、マルチメディア・プレゼンテーション用のマルチメディア・データを提供することができる。例えば、マルチメディア装置１００がデジタル・ビデオ・レコーダである場合、マルチメディア供給源１０８は、テレビジョン放送のようなマルチメディア放送とすることができる。また、別の例として、マルチメディア装置１００がＤＶＤプレーヤの場合、マルチメディア供給源１０８は、このマルチメディア装置１００に内蔵されたＤＶＤ再生装置で再生されるＤＶＤとすることができる。このＤＶＤ再生装置には、ドライブ機構、ピックアップ、制御用ＣＰＵ、サーボ制御装置、および、ナビゲーション・データ生成回路が含まれてもよい。更に、このＤＶＤ再生装置には、ＤＶＤプレーヤ設計技術の当業者に周知のその他のＤＶＤプレーヤ・コンポーネントが含まれてもよい。
【００１１】
また、図１に示すプレゼンテーション装置１１０には、ビデオ表示装置、オーディオ・システム、或いは、ビデオ・コンポーネントとオーディオ・コンポーネントとの組み合わせが含まれてもよい。このプレゼンテーション装置１１０は、マルチメディア装置１００に内蔵されてもよい。例えば、ビデオ、即ち、映像が、陰極線管ディスプレイ、液晶ディスプレイ、或いは、ＬＥＤ表示アレーによって表示され、また、オーディオ、即ち、音響信号が、スピーカ、イヤホン、或いは、骨導マイクロフォンを提供するその他の音響変換器によって、ユーザにプレゼンテーション（提供）される。尚、プレゼンテーション装置１１０は、例えば、テレビジョン・モニタまたはビデオ表示モニタである場合、マルチメディア装置１００の外部に設けてもよい。ユーザ・インタフェース１０２、記憶装置１０６、マルチメディア供給源１０８、および、プレゼンテーション装置１１０の各々は、プロセッサ１０４と通信可能に接続することができる。
【００１２】
図２には、マルチメディア・プレゼンテーション内の特定箇所を参照するためにブックマークをアノテイトする（ａｎｎｏｔａｔｅ）（ブックマークを設定して、必要に応じてそれに注釈を加える）方法を示すフローチャート２００が示されている。この方法のプロセスは、ステップ２０２から開始する。ステップ２０４に於いて、視聴者は、マルチメディア・プレゼンテーション内の現在の再生箇所にユーザ・アクセス可能マーク（ブックマーク）をアノテイトする。これは、プロセッサ１０４にブックマーク情報を通信できるユーザ・インタフェース１０２を用いて行うことができる。プロセッサ１０４とユーザ・インタフェース１０２との間の通信は、双方向で行われる。この双方向通信によって、ブックマーク要求がプロセッサ１０４に送信され、ブックマーク検索データ、例えば、ブックマーク設定者の名前がユーザ・インタフェース１０２に送信されて表示される。ブックマークのアノテイトは、マルチメディア・プレゼンテーションの再生を中断することなく行うことができる。ユーザは、ブックマークのアノテイトの後で、レコーディング済み（記録済み）マルチメディア・プレゼンテーションの再生をそのブックマークによって特定される箇所から再開することができる。他のユーザも、そのマルチメディア・プレゼンテーションに別のブックマークをアノテイトしたい場合は、同様に行うことができる。ここで言う「アノテイト」（または「アノテーション（ａｎｎｏｔａｔｉｏｎ）」）の意味は、例えば、ブックマークを付けたマルチメディア・プレゼンテーション内の箇所、例えばユーザ名のようなブックマーク識別子、および／または、ブックマークについてのコメント等の関連情報を記憶することである。このようなブックマークのアノテーションによって、各ユーザは、その他のユーザに視聴を中断させることなく、マルチメディア・プレゼンテーション内の各自の視聴箇所をブックマークして、その再生をその箇所から連続して視聴することができるという利点がある。
【００１３】
ステップ２０６に於いて、プロセッサ１０４は、ブックマーク要求を受信すると、マルチメディア・プレゼンテーション内の現在の再生箇所を特定する。一構成に於いて、プロセッサ１０４は、記憶装置１０６と通信し、マルチメディア・プレゼンテーション内の現在の再生箇所を特定することができる。この構成は、マルチメディア装置１００がパーソナル・ビデオ・レコーダであり、且つ、マルチメディア・プレゼンテーションが、記憶装置１０６にレコーディング（記録）されたマルチメディア・データから再生される場合に特に有効である。別の一構成に於いて、プロセッサ１０４は、マルチメディア供給源１０８から直接、マルチメディア・プレゼンテーション内の現在の再生箇所を特定することができる。例えば、マルチメディア装置１００がＣＤプレーヤ、或いは、ＤＶＤプレーヤである場合、プロセッサ１０４は、ＣＤ、或いは、ＤＶＤから直接、マルチメディア・プレゼンテーション内の現在の再生箇所を特定することができる。更に別の一構成では、ユーザは、マルチメディア・プレゼンテーション内のブックマークすべき個別の箇所を指定することができる。
【００１４】
マルチメディア・プレゼンテーションの再生箇所の情報は、インデックス値（ｉｎｄｅｘ  ｖａｌｕｅ）によって特定することができる。このインデックス値は、時間測定値、フレーム識別子、データ量測定値、或いは、その他の任意の、マルチメディア・プレゼンテーション内の箇所を特定するものであってよい。例えば、記憶装置１０６がハード・ディスク・ドライブであり、且つ、マルチメディア・プレゼンテーションがＭＰＥＧデータとして記憶されている場合、ブックマークは、現在のディスク記憶セレクタ、ファイルの開始からのバイト単位のオフセット、或いは、ブックマークされたビデオ・フレームのプレゼンテーション・タイム・スタンプ（ＰＴＳ）であってよい。即ち、記憶セレクタ、或いは、バイト単位のオフセットによって、ハード・ディスク・ドライブにデータの読み出し開始箇所を指示することができ、ＰＴＳによってプロセッサ１０４に正確にどのフレームから再開すべきかを指示することができる。所望のブックマークを利用可能ブックマーク・リストから選択する為に、ブックマークによってマークされたビデオ・フレームを表す一連の静止画、サムネイル、或いは、縮小画像をユーザにプレゼンテーション（提示）してもよい。
【００１５】
現在のマルチメディア・プレゼンテーションの再生箇所が特定された後、ステップ２０８に於いて、ブックマーク情報が記憶される、即ち、ブックマーク情報のアノテーションが行われる。ブックマーク情報には、少なくとも、ステップ２０６に於いて特定された現在のマルチメディア・プレゼンテーション再生箇所のデータとブックマーク識別子が含まれることが望ましい。このブックマーク識別子は、ユーザが前に設定したブックマークを容易に識別できるものであれば、任意のタイプの情報であってよい。例えば、参照番号の識別子、或いは、英数字の識別子をこの目的に用いていもよい。ブックマーク情報は、マルチメディア・プレゼンテーション（マルチメディア番組）が記録可能な媒体から再生される場合、その同じ媒体に記憶してもよく、或いは、マルチメディア・プレゼンテーションの供給源がＤＶＤのような記録不可能な媒体である場合、別個の記憶場所に記憶してもよい。更に、現在のマルチメディア・プレゼンテーション再生箇所のデータと共に、別の情報を記憶できる。例えば、ユーザ名またはユーザＩＤ、日付、時刻、および、追加番組情報を現在のマルチメディア・プレゼンテーション再生箇所のデータと共に記憶できる。ブックマーク要求に応答して記憶されたデータの全てを集合的に「ブックマーク」と呼ぶことができるため、以下、そう呼ぶことにする。
【００１６】
複数のブックマークを記憶装置１０６に書き込むことができる。新たなブックマークが作成される際、それは、他のブックマークと区別できるように個別に識別され、且つ、複数の個々のユーザが容易に識別できるようにする。ユーザは、ブックマークに名称を付けることができ、或いは、ブックマークに、デフォルトの識別、例えば、続き番号、日時、ショーまたは映画のタイトル、ユーザ名、或いは、これらの任意の組み合わせを付与することができる。一構成に於いて、各ブックマークは、ユーザが削除するまで、記憶装置１０６内に保持される。これにより、例えば、ＤＶＤをプレーヤ（マルチメディア装置１００）から一時的に取り出し、再びプレーヤに装填したときに、記憶されている各ブックマークがその特定のＤＶＤと再び対応付けられる。別の一構成に於いて、各ブックマークは、その各ブックマークが参照するマルチメディア・プレゼンテーションが記憶装置１０６から削除されると、同時にその記憶装置１０６から削除されるようにしてもよい。
【００１７】
ステップ２１０に示すように、ブックマークを設定する期間中、即ち、アノテーションの期間中も、再生は継続する。即ち、再生は、ブックマーク設定期間中ずっとマルチメディア・プレゼンテーションを中断することなく継続することができる。別の一実施形態では、ユーザは、オプションとしてアノテーションの期間中、マルチメディア・プレゼンテーションをポーズすることができる。これによって、例えば、再生映像を吟味したり、映像にタイトルを付けたり、或いは、映像の説明を付けたりすることが可能になる。
【００１８】
図３には、マルチメディア・プレゼンテーション内のブックマーク箇所から再生を再開する方法を示すフローチャートが示されている。この方法のプロセスは、ステップ３０２からスタートする。ステップ３０４に於いて、ユーザは、再生を開始すべき箇所を特定したブックマークを選択する。一構成に於いて、ユーザ・インタフェース１０２を介して、ブックマーク選択メニューをユーザに提示することができる。例えば、各ブックマークによってマークされた、或いは、アノテイトされた個々のビデオ・フレームを表す静止画またはサムネイルの表示メニューをユーザに提示することができる。更に別の一構成に於いて、例えば、ユーザＩＤ、サムネイル映像、および、説明文と共にブックマークの選択項目を、プレゼンテーション装置１１０を介して、オン・スクリーン表示機能によって、ユーザ選択用に提示してもよい。ユーザは、ユーザ・インタフェース１０２を使用して、メニューから個別のブックマークを選択することができる。この際、例えば、リモコン１０３によって、カーソルをスクロールして個別のブックマークを選択して、その選択をプロセッサ１０４に転送する。ステップ３０６に於いて、選択されたブックマークに含まれる、或いは、その選択されたブックマークを参照するインデックス値を、記憶装置１０６から読み出し、プロセッサ１０４に通信することができる。
【００１９】
ステップ３０８に於いて、マルチメディア・プレゼンテーションのデータの再生が、インデックス値によって特定される箇所から開始され、プレゼンテーション装置１１０に転送されて、ユーザにプレゼンテーション、即ち、表示されるように構成することができる。マルチメディア・プレゼンテーションのレコーディング（記録）が記憶装置１０６に格納されている場合、例えば、マルチメディア装置１００がパーソナル・ビデオ・レコーダである場合は、マルチメディア・プレゼンテーションのデータは、記憶装置１０６から読み出すことができる。マルチメディア・プレゼンテーションのレコーディング（記録）がマルチメディア供給源１０８に格納されている場合、例えば、マルチメディア装置１００がＤＶＤプレーヤである場合は、マルチメディア・プレゼンテーションのデータは、マルチメディア供給源１０８から読み出すことができる。ステップ３１０に於いて、ユーザは、マルチメディア・プレゼンテーションの再生を、それが完了するまで継続してもよいし、その再生を停止して別の時にそれを見終えたい場合、或いは、そのマルチメディア・プレゼンテーションの或る部分を再度後で見たい場合は、新たなブックマークを作成することができる。
【００２０】
ここに記載した各構成、および、各実施形態は、単なる説明のための実例に過ぎず、それらに基づいて様々な修正または変更が当業者によって考えられ得るが、それの修正または変更は、全て、本願発明の精神と権利の範囲内に含まれるものである。本願発明は、その精神または本質から逸脱することなく、その範囲内でその他の多くの具体的な形態を取り得る。
【図面の簡単な説明】
【００２１】
【図１】本発明に従って、不揮発性ブックマークの設定を実施する各マルチメディア・コンポーネントのブロック図である。
【図２】本発明に従って、マルチメディア・プレゼンテーション内にブックマークを設定する方法を示すフローチャートである。
【図３】本発明に従って、マルチメディア・プレゼンテーションの選択再生用のブックマークを検索する方法を示すフローチャートである。
【図１】
2005532749.tif 000003
【図２】
2005532749.tif 000004
【図３】
2005532749.tif 000005
【国際調査報告】
2005532749.tif 000006